(57)【特許請求の範囲】
【請求項１】
コネクタハウジングに導電メッキが施されたシールドコネクタにおいて、該コネクタハウジングの収容室内に、該導電メッキと接触する導電性の環状のシールドリングが挿着され、弾性接触片を内側に有する環状のシールドコンタクトが該シールドリングの内側に互いの係止手段で係止され、且つ該係止手段のガタ付きの範囲で該シールドコンタクトが該シールドリングの内面に沿って摺動自在であり、該シールドコンタクトの内側に相手側シールド接触部が挿入されることを特徴とするシールドコネクタ。
【請求項２】
前記シールドコンタクトが切割り部を有して、拡径方向の弾性を有していることを特徴とする請求項１記載のシールドコネクタ。
【請求項３】
前記収容室内に圧入用の隙間が形成され、前記シールドリングに、該隙間に対する圧入部が形成されたことを特徴とする請求項１又は２記載のシールドコネクタ。
【発明の詳細な説明】
【０００１】
【発明の属する技術分野】
本発明は、電気自動車等に使用される電磁波遮蔽用のシールドコネクタに係り、相手側シールド接触部との接触部分に工夫を凝らしたシールドコネクタに関するものである。
【０００２】
【従来の技術】
図６は、特開平８−２４１７６３号公報に記載された従来のシールドコネクタとして、雄側シールドコネクタ４５と雌側シールドコネクタ４６とを示すものである。
【０００３】
各シールドコネクタ４５，４６は合成樹脂製のコネクタハウジング４７，４８と、コネクタハウジング４７，４８内に収容された金属シェル４９，５０と、金属シェル４９，５０内に位置する端子５１，５２とで構成される。
【０００４】
各コネクタハウジング４７，４８はインナハウジング５３，５４とアウタハウジング５５，５６とを含み、金属シェル４９，５０はインナハウジング５３，５４の外側に沿って設置されている。各金属シェル４９，５０の先端側にはスリット状の切欠部５７，５８が形成され、切欠部５７，５８に隣接して円周方向円弧状の突板部５９，６０が形成されている。突板部５９，６０がアウタハウジング５５，５６とインナハウジング５３，５４との間の隙間を通ってコネクタ嵌合方向に突出している。
【０００５】
各金属シェル４９，５０の後端部はシールド電線６１，６２の編組６３，６４に接続されている。シールド電線６１，６２の先端に前記端子５１，５２が加締接続されている。各シールド電線６１，６２は各コネクタハウジング４７，４８の後方に導出されている。
【０００６】
両シールドコネクタ４５，４６を嵌合すると同時に、両金属シェル４９，５０が嵌合して接続される。一方の金属シェル４９の突板部５９は他方の金属シェル５０の切欠部５８を覆い、他方の突板部６０は金属シェル４９のフック片６５の内側に挿入されることで、浮き上がりが防止され、金属シェル４９，５０同士が密着する。導電部である端子５１，５２が金属シェル４９，５０で主に覆われて電磁波が遮蔽される。
【０００７】
【発明が解決しようとする課題】
しかしながら、上記従来の構造にあっては、金属シェル４９，５０をコネクタハウジング４７，４８内に収容するために、コネクタ自体が大型化し、また、金属シェル４９，５０の取付スペースや電線取り出し方向等が規制される関係で、金属シェル４９，５０で覆いきれない部分が生じたり、金属シェル４９，５０の構造が複雑化し、組付作業性が悪化するといった問題があった。
【０００８】
これらの問題を解決するために、金属シェルの代わりにコネクタハウジング全体に導電メッキを施したシールドコネクタも提案されているが（例えば特開平５−２５８８０４号や特開平９−８４８９号）、このシールドコネクタにおいては、雄・雌コネクタの嵌合時にこじりが生じた場合や、コネクタハウジング同士の電気接続を得るために接圧摺動させた際に、メッキ層が剥がれる恐れがある。
【０００９】
本発明は、上記した点に鑑み、コネクタ自体の肥大化や金属シェル等の組付作業性の悪化を防ぐことは勿論のこと、コネクタハウジングに導電メッキを施したシールドコネクタにおけるメッキ層の剥がれや電気的接触性の低下を防止し得るシールドコネクタを提供することを目的とする。
【００１０】
【課題を解決するための手段】
上記目的を達成するために、本発明は、コネクタハウジングに導電メッキが施されたシールドコネクタにおいて、該コネクタハウジングの収容室内に、該導電メッキと接触する導電性の環状のシールドリングが挿着され、弾性接触片を内側に有する環状のシールドコンタクトが該シールドリングの内側に互いの係止手段で係止され、且つ該係止手段のガタ付きの範囲で該シールドコンタクトが該シールドリングの内面に沿って摺動自在であり、該シールドコンタクトの内側に相手側シールド接触部が挿入されることを特徴とする（請求項１）。
前記シールドコンタクトが切割り部を有して、拡径方向の弾性を有していることも有効である（請求項２）。また、前記収容室内に圧入用の隙間が形成され、前記シールドリングに、該隙間に対する圧入部が形成されたことも有効である（請求項３）。
【００１１】
【発明の実施の形態】
以下に本発明の実施の形態の具体例を図面を用いて詳細に説明する。
図１は、本発明に係るシールドコネクタの一実施例を示すものである。
このシールドコネクタ１は、導電メッキ（図示せず）が施された合成樹脂製の雌コネクタハウジング２と、雌コネクタハウジング２の収容室３の中央に突出した雄端子４と、収容室３の内周壁５に沿って挿着された導電金属製のシールドリング６と、シールドリング６内に挿着された導電金属製の環状のシールドコンタクト７とを含んでいる。
【００１２】
導電メッキは雌コネクタハウジング２の表裏両面に施されている。雌コネクタハウジング２は円筒形状を呈し、左右一対並列に配設されている（図では一方の雌コネクタハウジング２のみを示す）。雌コネクタハウジング２と一体に機器直付け用の基板部８が形成されており、基板部８の表裏にも導電メッキが施されている。導電メッキは銅＋スズのメッキが好適である。この場合のメッキ方法は、先ずコネクタハウジング（合成樹脂）２をエッチングし、次いで雄端子４にアースされないようにマスキングを施した後、銅メッキを施し、次いでスズメッキを施すことで行われる。
【００１３】
雌コネクタハウジング２の後壁９から基板部８を経て基板部下側の台部１０まで垂直に金属導板１１が設けられ、金属導板１１の一端部がコネクタハウジング２内の雄端子４に接続し、金属導板１１の他端部が水平に屈曲されて電流供給用の電線１２に接続している。電線１２には端子１３が接続され、端子１３と金属導板１１の他端部とがボルト１４とナット１５で締付接続されている。電線１２は雌コネクタハウジング２内の雄端子４と同一の方向に導出されている。電線１２の導出方向は、金属導板１１の他端部の形状を変えることで自在に設定可能である。
【００１４】
雄端子４の外側すなわち雌コネクタハウジング２の内周壁５に沿ってシールドリング６が圧入されている。雄端子４の先端部はシールドコンタクト７の前端よりも少し前方に突出している。雌コネクタハウジング２の収容室３は段付きに形成され、前方に大径部３ａを有している。シールドリング６は収容室３の小径部側に圧入されている。収容室３の底部には圧入用の環部１６が突出形成され、環部１６と収容室３の内周壁５との間の隙間１７にシールドリング６が圧入されている。
【００１５】
図２にも示す如く、シールドリング６の内側には環状のシールドコンタクト７が装着されている。シールドコンタクト７はシールドリング６の半分強の長さに形成され、円周上に、軸方向すなわちコネクタ嵌合方向に延びる複数の弾性接触片１８を有している。弾性接触片１８は、隣り合うスリット１９の間に形成されて略山型状に内向きに突出し、後述する相手側シールドコネクタ（図５）のシールド接触部に接触可能である。弾性接触片１８には内向きに接触突起２０が形成され、シールドコンタクト７の挿入側端部には、シールドリング６に対する接触突起２１が外向きに形成されている。
【００１６】
シールドリング６及びシールドコンタクト７はそれぞれ軸方向にスリット状の切割り部（合わせ目）２２，２３を有している。シールドコンタクト７の自由状態（装着前）における外径寸法は、シールドリング６の自由状態における内径寸法よりも大きく設定され、径方向の弾性を有している。シールドリング６も径方向の弾性を有している。シールドコンタクト７はシールドリング６内に軸方向（長手方向）及び周方向に一定範囲摺動自在に装着されている。
【００１７】
図３はシールドコンタクトの一例を示すものであり（図２と同一の符号で説明する）、シールドコンタクト７の切割り部２３には一対の係止爪２４（係止手段）が外向きに屈曲形成され、係止爪２４の１８０°反対方向には可撓係止片２５が軸方向に形成され、可撓係止片２５に外向きの係止突起（係止手段）２６が膨出形成されている。弾性接触片１８は軸方向の各スリット１９の間に形成されて内向きに突出している。シールドコンタクト７は導電性の弾性金属材で形成されている。シールドコンタクト７は実際には自由状態で図示よりも外側に大きく拡がり、切割り部２３が大きく開いている。図３においては接触用突起の図示を省略している。
【００１８】
図４はシールドリングの一例を示すものであり（図２と同一の符号で説明する）、シールドリング６の円周上の二箇所に、前記シールドコンタクト７（図３）の係止爪２４と係止突起２６とに対する係合孔（係止手段）２７，２８が対向して設けられている。また係合孔２７，２８の上方に、コネクタハウジング２（図１）に対する位置決め突部２９，３０が外向きに膨出形成され、係合孔２７，２８の下方に、位置決め又は圧入代確保用の突部３１（３１1〜３１4）のうちの突部３１1，３１2が外向きに膨出形成されている。シールドリング６は黄銅等の導電金属材で形成されている。
【００１９】
シールドコンタクト７を径方向に縮めてシールドリング６内に挿入し、係止爪２４と係止突起２６とを各係合孔２７，２８に係合させる。どちらの係合孔２７，２８に係止爪２４又は係止突起２６が係合してもよい。シールドコンタクト７はシールドリング６内で拡がり、係止爪２４が係合孔２７（２８）の側端２７ａ（２８ａ）に引っ掛かって係止される。
【００２０】
係止突起２６は係合孔２７（２８）内で移動自在である。係止爪２４は係合孔２７内で周方向に移動自在である。係止爪２４（図３）の長さを図示よりも短くすることにより、係合孔２７内で軸方向にも移動自在となる。それにより、コネクタハウジング２への組付状態でシールドコンタクト７がシールドリング６内で周方向及び軸方向に摺動自在となり、相手側シールド接触部（図５）の挿入力やこじり力をシールドコンタクト７が吸収して、シールドリング６の移動（ずれ）を防ぐ。
【００２１】
シールドリング６とシールドコンタクト７のサブアッシー状態で、シールドリング６がコネクタハウジング２（図１）の収容室３内に圧入される。勿論、シールドリング６を収容室内に圧入した後、シールドコンタクト７を装着することも可能である。なお、シールドリング６がなく、シールドコンタクト７のみを収容室３に圧入する場合は、圧入時に弾性接触片１８を変形させてしまう恐れがあるが、シールドリング６にシールドコンタクト７を装着して、シールドリング６を圧入することで、弾性接触片１８の変形が防止される。
【００２２】
シールドリング６の位置決め突部２９，３０及び、位置決め突部２９，３０の下側に位置する二つの外向きの突部３１1，３１2はコネクタハウジング２（図１）の収容室内周壁５の軸方向のガイド溝（図示せず）に係合する。他の二つの内向きの突部（圧入部）３１3，３１4は収容室３内の環部１６と収容室内周壁５との間の隙間１７に強く圧入されて、シールドリング６を収容室３内に確実に固定させる。シールドコンタクト７の係止爪２４と係止突起２６とは収容室３内の前記ガイド溝（図示せず）内に位置する。
【００２３】
図５は、図１の雌側シールドコネクタ１に対する雄側シールドコネクタを示すものである。
雄側シールドコネクタ３４は公知のものであり、合成樹脂製のコネクタハウジング４２の内側すなわちアウタハウジング３５とインナハウジング３６との間に金属シェル３７を配設し、インナハウジング３６の内側に雌端子３９を設けたものである。
【００２４】
金属シェル３７の先端部はアウタハウジング３５の前端から突出して、環状のシールド接触部（相手側シールド接触部）３８をなしている。雄・雌両シールドコネクタ１（図１），３４の嵌合と同時に、シールド接触部３８がシールドコネクタ１のシールドコンタクト７の内側に挿入されて弾性接触片１８に接触する。それと同時に雄端子４が雌端子３９内に挿入される。ロックアーム４０はロック突起４１に係合する。シールド接触部３８は弾性接触片１８の接圧で安定に接続される。
【００２５】
また、図１において、コネクタ嵌合時にシールドコンタクト７がシールドリング６内を一定範囲内で軸方向及び周方向に摺動することで、コネクタ嵌合の際の挿入力やこじり力が吸収され、コネクタハウジング２内でのシールドリング６の変形及び移動（ずれ）が抑止され、シールドリング６と導電メッキ層（図示せず）との摩擦がないから、導電メッキ層の剥がれが起こらない。導電メッキ層の剥がれが防止されるから、シールド効果が良好に保たれる。また、シールドリング６が収容室内周壁５と面接触し、シールドコンタクト７のばね荷重がシールドリング６により分散されるから、収容室内周壁５の経時的な変形等が防止される。
【００２６】
シールドコンタクト７はシールドリング６に接触し、シールドリング６はコネクタハウジング２の収容室内周壁５の導電メッキ層に接触し、収容室内周壁５の導電メッキ層は機器直付用の基板部８の導電メッキ層に続いているから、シールドコネクタ１側の電磁波が機器側に確実にアースされると共に、機器側の電磁波がシールドコネクタ１のシールドコンタクト７を経て、相手側シールドコネクタ３４（図５）のシールド電線４３に確実にアースされる。
【００２７】
なお、上記実施例の他に、コネクタハウジング２の収容室３内にシールドリング６のみを挿着し、シールドリング６に直接、相手側シールド接触部３８を接続させる構造とすることも可能である。シールドリングの形状や圧入方法を工夫すれば、シールドリング６に弾性接触片１８を一体に形成することも可能である。また、相手雄側シールドコネクタ３４のシールド接触部３８に弾性接触部を一体に形成する構造とすることも可能である。
【００２８】
【発明の効果】
以上の如く、請求項１記載の発明によれば、相手側シールド接触部がコネクタハウジングにではなくシールドリングに摺接するから、導電メッキ層の剥がれが防止され、良好なシールド性が確保される。また、相手側シールド接触部がシールドリングにではなくシールドコンタクトに摺接するから、摩擦力によるシールドリングの移動やずれが防止され、導電メッキ層の剥がれが一層確実に防止される。また、シールドコンタクトをシールドリングに装着し、シールドリングを収容室内に挿着（圧入）することで、圧入作業におけるシールドコンタクトの変形や傷付きが防止される。また、弾性接触片により良好な接圧が確保され、電気的接触性すなわちシールド性が向上すると共に、弾性接触片が相手側シールド接触部との摩擦力やこじり力を吸収して、シールドリングへの力の伝達を阻止し、シールドリングの移動や位置ずれをなくして、導電メッキ層の剥がれを防ぐ。また、シールドコンタクトが一定範囲で摺動することで、コネクタ嵌合時における相手側シールド接触部との摩擦力やこじり力を吸収して、シールドリングへの力の伝達を阻止し、シールドリングの移動や位置ずれをなくして、導電メッキ層の剥がれを防ぐ。また、シールドコンタクトがシールドリング内で安定に保持され、抜け出しや大きな位置ずれが防止されて、安定した電気的接触が可能となる。また、請求項２記載の発明によれば、シールドコンタクトを縮径してシールドリング内に簡単に装着できる。また、シールドコンタクトがシールドリング内で拡径してシールドリングに密着することで、電気的接触性すなわちシールド性が向上する。また、請求項３記載の発明によれば、シールドリングが収容室内に確実に固定され、位置ずれが起こらないから、導電メッキ層の剥がれが防止される。また、シールドリングを圧入することで、シールドリングの組付を簡単に行うことができる。
【図面の簡単な説明】
【図１】本発明に係るシールドコネクタの一実施例を示す縦断面図である。
【図２】シールドリングにシールドコンタクトを挿着した状態を示す縦断面図である。
【図３】シールドコンタクトの一例を示す斜視図である。
【図４】シールドリングを示す斜視図である。
【図５】相手側シールドコネクタの一例を示す縦断面図である。
【図６】従来例を示す縦断面図である。
【符号の説明】
１              雌側シールドコネクタ
２              雌コネクタハウジング
３              収容室
６              シールドリング
７              シールドコンタクト
１７            隙間
１８            弾性接触片
２３            切割り部
２４            係止爪（係止手段）
２６            係止突起（係止手段）
２７，２８      係合孔（係止手段）
３１3，３１4    突部（圧入部）
３８            相手側シールド接触部
【図１】
0003675134.tif 000002
【図２】
0003675134.tif 000003
【図３】
0003675134.tif 000004
【図４】
0003675134.tif 000005
【図５】
0003675134.tif 000006
【図６】
0003675134.tif 000007